(57)【要約】【課題】蛍光体層から発される可視光が、放電セルの隔壁に吸収されてしまうこと、隔壁及び背面板を透過してしまうこと、を低減させ、放電セルの前面方向から放出させるようにすることにより、高輝度、高効率、高色純度な画像表示が可能なＰＤＰを提供することを目的とする。【解決手段】複数の電極、誘電体層５、及び保護層６と、複数の電極９、誘電体層８、複数の放電セルを構成する隔壁１０、及び紫外線励起により発光する蛍光体層１１と、を有し、前記隔壁１０の内部には、隔壁１０の厚み方向の略中央部に反射層１４を備えることを特徴とするプラズマディスプレイパネルである。【選択図】図１
2010146736.tif 000002
【特許請求の範囲】
【請求項１】
複数の電極、誘電体層、及び保護層と、複数の電極、誘電体層、複数の放電セルを構成する隔壁、及び紫外線励起により発光する蛍光体層と、を有し、前記隔壁の内部には、隔壁の厚み方向の略中央部に反射層を備えることを特徴とするプラズマディスプレイパネル。
【発明の詳細な説明】
【技術分野】
【０００１】
本発明は、コンピュータやテレビ等における画像表示のために用いる表示デバイスであるプラズマディスプレイパネルに関する。
【背景技術】
【０００２】
プラズマディスプレイパネル（ＰＤＰ）には、大別して、駆動的にはＡＣ型とＤＣ型があり、ＡＣ型の中でも放電形式では面放電型と対向放電型の２種類があるが、高精細化、大画面化及び製造の簡便性から、現状では、プラズマディスプレイパネルの主流は、３電極構造の面放電型のものである。
【０００３】
図３は、従来の３電極構造のＡＣ面放電型のプラズマディスプレイパネルの概略構成を示す断面斜視図である。図３に示すように、ガラス基板などの透明な前面側の第一基板１上には、第１の電極としての走査電極２と第２の電極としての維持電極３とで対をなすストライプ状の表示電極４が複数列形成され、そしてその表示電極４を覆うように誘電体層５が形成され、その誘電体層５上には保護層６が形成されている。
【０００４】
また、前面側の第一基板１に対向配置される第二基板７上には、走査電極２及び維持電極３からなる表示電極４と交差するように、誘電体層８で覆われた複数列のストライプ状の第３の電極としてのデータ電極９が形成されている。このデータ電極９間の誘電体層８上には、データ電極９と平行に複数の隔壁１０が配置され、この隔壁１０の側面及び誘電体層８の表面に蛍光体層１１が設けられている。
【０００５】
これらの第一基板１と第二基板７とは、走査電極２及び維持電極３からなる表示電極４とデータ電極９とがほぼ直交するように、微小な放電空間を挟んで対向配置されるとともに周囲が封止され、そして放電空間には、ネオン及びキセノン等の混合ガスが放電ガスとして封入されている。また、放電空間は、隔壁１０によって複数の区画に仕切られており、表示電極４とデータ電極９とが立体交差する部分に放電セルが設けられ、その各放電セルには、赤色、緑色及び青色となるように蛍光体層１１が一色ずつ順次配置されている。なお、実際のパネルでは保護層６の表面と隔壁１０の頂部とがほぼ接するように構成されている。
【０００６】
次に、このパネルの駆動方法について、走査電極２、維持電極３及びデータ電極９の各電極に印加される電圧波形の一例である図４を用いて説明する。
【０００７】
図４に示すように、まず初期化期間において、走査電極２に初期化電圧Ｖｓｅｔを印加し、パネルの放電セル内の壁電荷を初期化するとともに、走査電極２と維持電極３の間の放電空間にかけられた電圧が放電開始電圧に近い状態になるよう、各放電セルにおいて壁電荷の形成を行う。
【０００８】
次に、書込み期間において、すべての走査電極２にバイアス電圧Ｖｓｃａｎをかけておき、或る１つの走査電極２のバイアス電圧Ｖｓｃａｎを取り除くことにより走査パルスを印加する。表示させる放電セルでは、走査電極２に走査パルスを印加すると同時にデータ電極９に書込みパルスＶｄａｔａを印加することにより書込み放電を起こす。この書込み放電によって保護層６及び蛍光体層１１表面に壁電荷が蓄積されることにより、書込み動作が行われる。すべての走査電極２に対して順番に走査パルスを印加するとともに所望のデータ電極９に書込みパルスＶｄａｔａを印加することにより書込み動作をパネル全面に亘って順次行い、表示させる放電セルを選択する。
【０００９】
次に、維持期間において、データ電極９を接地し、走査電極２と維持電極３に交互に維持パルスＶｓｕｓを印加することによって、書込み期間において壁電荷が蓄積された放電セルでは保護層６表面の電位が放電開始電圧を上回ることによって放電（維持放電）が発生し、維持パルスが印加される度に維持放電が発生することになり、維持期間の間、維持放電が持続する。
【００１０】
その後、消去期間において、消去パルスＶｅｒａｓｅを印加することによって壁電荷を消去及び初期化する。その後、後続の書込み期間、維持期間、消去期間の３つからなるサブフィールドが繰り返される。
【００１１】
ＰＤＰにおいては、輝度及び効率の向上のために、光の取り出し効率を向上させるための工夫がなされてきた。その効率向上の工夫の一つとして、第二基板７上に反射層または白色の誘電体層を備えたＰＤＰがある（例えば、特許文献１参照）。これは、第二基板７ 側に漏れ出る蛍光体層１１からの光を、表示側である第一基板１側に反射させることによって輝度の向上を図っている。
【特許文献１】特開平９−２３１９１０号公報
【発明の開示】
【発明が解決しようとする課題】
【００１２】
しかしながら、前述の手段を用いて背面板を透過する可視光を前面に反射しても、可視光の一部はリブ隔壁内に吸収されるので蛍光体層から発される可視光を全て画像表示に利用することはできず、輝度及び効率の向上効果を大きく望めない場合があった。また、隔壁を透過して隣接放電セルへの可視光の漏れが起こると色純度が低下し、結果として画像表示品質が低下する場合があった。
【００１３】
本発明はこのような現状に鑑みなされたものであり、蛍光体層から発される可視光が、放電セルの隔壁に吸収されてしまうこと、隔壁及び背面板を透過してしまうこと、を低減させ、放電セルの前面方向から放出させるようにすることにより、高輝度、高効率、高色純度な画像表示が可能なＰＤＰを提供することを目的とする。
【課題を解決するための手段】
【００１４】
上記目的を達成するために本発明のＰＤＰは、複数の電極、誘電体層、及び保護層と、複数の電極、誘電体層、複数の放電セルを構成する隔壁、及び紫外線励起により発光する蛍光体層と、を有し、前記隔壁の内部には、隔壁の厚み方向の略中央部に反射層を備えることを特徴とするものである。
【発明の効果】
【００１５】
本発明によれば、蛍光体層から発される可視光が、放電セルの隔壁に吸収されてしまうこと、隔壁及び背面板を透過してしまうこと、が低減し、放電セルの前面方向から放出させるようになるので、蛍光体層が発する可視光を余すことなく画像表示に利用でき、もって、高輝度、高効率、高色純度な画像表示が可能なＰＤＰを提供することが可能となる。
【発明を実施するための最良の形態】
【００１６】
以下、本発明の一実施の形態のＰＤＰについて図面を用いて具体的に説明する。
【００１７】
図１は、本発明の一実施の形態によるＰＤＰの概略構成を示す断面図である。図１に示すように、ガラス基板などの透明な前面側の第一基板１上には、図３に示した構成と同様、第１の電極としての走査電極（図示せず）と第２の電極としての維持電極（図示せず）とで対をなすストライプ状の表示電極（図示せず）が複数列形成され、そしてその表示電極を覆うように誘電体層５が形成され、その誘電体層５上には保護層６が形成されている。
【００１８】
また、前面側の第一基板１に対向配置される第二基板７上には、走査電極及び維持電極からなる表示電極と交差するように、誘電体層８で覆われた複数列のストライプ状の第３の電極としてのデータ電極９が形成されている。また、この誘電体層８上には、例えば、誘電体ガラス層中に酸化チタンなどを含ませた材料により形成された第１の反射層１２が設けられている。そして、データ電極９間の第１の反射層１２上には、データ電極９と平行に複数の隔壁１０が配置され、この隔壁１０の側面及び誘電体層８の表面に蛍光体層１１が設けられている。また、隔壁１０の内部の、隔壁１０の厚み方向の略中央部には第２の反射層１４が設けられている。
【００１９】
そしてこれらの第一基板１と第二基板７とは、走査電極及び維持電極からなる表示電極とデータ電極９とが交差するように、微小な放電空間を挟んで対向配置されるとともに周囲が封止され、そして放電空間には、ネオン及びキセノン等の混合ガスが放電ガスとして封入されている。また、放電空間は、隔壁１０によって複数の区画に仕切られており、表示電極とデータ電極９とが立体交差する部分に放電セルが設けられ、その各放電セルには、赤色、緑色及び青色となるように蛍光体層１１が一色ずつ順次配置されている。なお、実際のパネルでは保護層６の表面と隔壁１０の頂部とがほぼ接するように構成されている。
【００２０】
上述の、本発明の一実施の形態によるＰＤＰを駆動するには、図４を用いて説明した駆動の方法と同様で可能であり、表示すべき放電セルにおいて維持放電を発生させ、この維持放電に伴って発生する紫外線で蛍光体層１１を発光させる。このときの蛍光体層１１の発光により画像表示が行われる。
【００２１】
次に、本発明の一実施の形態によるＰＤＰの製造方法における、第二基板７に対する工程について、以下、説明する。
【００２２】
図２は、本発明の一実施の形態によるＰＤＰの製造方法における、第二基板７に対する工程を説明するための図である。
【００２３】
まず、図２（ａ）に示すように、背面側の基板である第二基板７上にデータ電極９を形成した後、データ電極９を覆うように誘電体層８を形成し、続いて誘電体層８上に第１の反射層１２を形成する。ここで、反射層１２は、反射層材料を塗布することで形成することができる。
【００２４】
次に、図２（ｂ）に示すように、高反射率を有する基板７上に、隔壁１０を形成するための材料１０ａを、例えばスクリーン印刷法によって塗布する。
【００２５】
次に、図２（ｃ）に示すように、フォトリソグラフィ、またはサンドブラストなどの工法によって、隔壁１０を形成するとともに、隔壁１０の内部の反射層を形成するための、反射層材料を注入するための溝１０ｂを形成する。
【００２６】
次に、図２（ｄ）に示すように、溝１０ｂに反射層材料を流し込むことで隔壁１０の内部に第２の反射層１４を形成する。
【００２７】
なお、以上の説明においては、第１の反射層１２及び第２の反射層１４を形成するために用いる反射層材料の一例としては、酸化チタニウム、チタン酸バリウム、酸化アルミニウムなどと誘電体ガラスとを混合してペースト状とした材料を挙げることができる。
【００２８】
以上のような構成によれば、蛍光体層から発される可視光を余すことなく画像表示に利用できる高輝度、高効率、高色純度なＰＤＰを提供できる。
【００２９】
なお、第１の反射層１２及び第２の反射層１４は、一方のみの形成でも、全く形成しない場合に比べ効果を得ることができる。
【００３０】
なお、反射層として一方のみを設ける場合には、蛍光体層１１の放電セル内における分布状態、すなわち、隔壁１４との接触面積が大きいという分布状態から、隔壁内部に設ける第２の反射層１４を設けることが望ましい。
【００３１】
また、その際には隔壁１０を挟んで両隣の放電セルでの効果を鑑み、反射層は、隔壁の厚み方向の略中央部に設けることが望ましい。
【産業上の利用可能性】
【００３２】
以上のように本発明は、大画面、高精細のプラズマディスプレイ装置を提供する上で有用な発明である。
【図面の簡単な説明】
【００３３】
【図１】本発明の一実施の形態によるＰＤＰの概略構成を示す断面図
【図２】本発明の一実施の形態によるＰＤＰの製造方法における、第二基板に対する工程を説明するための図
【図３】従来のＰＤＰの概略構成を示す断面斜視図
【図４】従来のＰＤＰの駆動電圧波形を示す電圧波形の一例を示す図
【符号の説明】
【００３４】
１  第一基板
７  第二基板
１２  第１の反射層
１４  第２の反射層
【図１】
2010146736.tif 000003
【図２】
2010146736.tif 000004
【図３】
2010146736.tif 000005
【図４】
2010146736.tif 000006